(57)【要約】【課題】単純な回路を備えることにより、消費電力がバスパワーを一時的に超えても、正常に駆動可能な外付け周辺装置を提供する。【解決手段】ホストシステムとのデータ伝送に加えて前記ホストシステムからの電力の供給も可能なインタフェース１０と、自身の動作に要する電流が、ホストシステムからの供給電流を一時的に上回る可能性のある装置主要部１２と、インタフェースを介してホストシステムと装置主要部との間のデータ伝送を行うデータ伝送制御部１１と、装置主要部１２及びデータ伝送制御部１１による消費電流が、供給電流を下回る場合、供給電流を装置主要部１２及びデータ伝送制御部１１に供給するとともに、電流余剰分を蓄積し、消費電流が供給電流を上回る場合、供給電流に加えて蓄積された放電電流を、装置主要部１２及びデータ伝送制御部１１に供給する電流バッファ手段１４とを備えた外付け周辺装置。【選択図】図１Ａ
2007156605.tif 000002
【特許請求の範囲】
【請求項１】
ホストシステムとのデータ伝送に加えて前記ホストシステムからの電力の供給も可能なインタフェースと、
自身の動作に要する電流が、前記ホストシステムからの供給電流を一時的に上回る可能性のある装置主要部と、
前記インタフェースを介して前記ホストシステムと前記装置主要部との間の前記データ伝送を行うデータ伝送制御部と、
前記装置主要部及び前記データ伝送制御部による消費電流が、前記供給電流を下回る場合、前記供給電流を前記装置主要部及び前記データ伝送制御部に供給するとともに、電流余剰分を蓄積し、前記消費電流が前記供給電流を上回る場合、前記供給電流に加えて自身に蓄積された前記電流余剰分からの放電電流を、前記装置主要部及び前記データ伝送制御部に供給する電流バッファ部と、
を備えたことを特徴とする外付け周辺装置。
【請求項２】
前記電流バッファ部は、
前記インタフェースの電源供給端子と前記装置主要部および前記データ伝送制御部の電源導体との間に挿入された充放電制御回路と、
前記充放電制御回路の出力側と接地との間に挿入された蓄電素子とを備え、
前記充放電制御回路は、
電流を所定の値に制限する電流制限回路と、逆流防止用の入力ダイオードとの直列回路からなること、
を特徴とする請求項１に記載の外付け周辺装置。
【請求項３】
前記ホストシステムからさらなる電力の供給を得るための受電手段と、
入力側が前記受電手段の電源供給端子に接続され、出力側が前記直列回路である前記充放電制御回路の出力側に接続され、前記直列回路と同じ構成の第２の充放電制御回路とをさらに備えたこと、
を特徴とする請求項２に記載の外付け周辺装置。
【請求項４】
前記受電手段は、前記ホストシステムからの電力の供給が可能な第２のインタフェースであること、
を特徴とする請求項３に記載の外付け周辺装置。
【請求項５】
前記受電手段は、電源用コネクタであること、
を特徴とする請求項３に記載の外付け周辺装置。
【請求項６】
前記蓄電素子の蓄電量を電圧として監視する手段と、
前記蓄電量が所定の値より小さい場合、前記装置主要部の動作を待たせるのに有効なコマンドを、前記インタフェースを介して前記ホストシステムに送る手段とをさらに備えたこと、
を特徴とする請求項２または請求項３に記載の外付け周辺装置。
【請求項７】
前記インタフェースはＵＳＢであること、
を特徴とする請求項１ないし請求項６のいずれか１項に記載の外付け周辺装置。
【請求項８】
前記装置主要部は、光ディスクドライブであること、
を特徴とする請求項１ないし請求項７のいずれか１項に記載の外付け周辺装置。
【請求項９】
前記装置主要部はＤＶＤドライブであること、
を特徴とする請求項８に記載の外付け周辺装置。
【請求項１０】
ホストシステムと周辺装置との間でデータを伝送する手段と、
前記ホストシステムから前記周辺装置に電力を供給する電力供給手段と、
前記電力供給手段の途中に挿入され、前記周辺装置による消費電流が前記ホストシステムからの供給電流を下回る場合、前記供給電流を前記周辺装置に供給するとともに、電流余剰分を蓄積し、前記消費電流が前記供給電流を上回る場合、前記供給電流に加えて蓄積された前記電流余剰分からの放電電流を前記周辺装置に供給する手段とを備えたこと、
を特徴とするインタフェースケーブル。
【発明の詳細な説明】
【技術分野】
【０００１】
本発明は、ホストシステムに接続ケーブルで接続され、ホストシステムから供給される電力で動作し、動作状態により消費電力が大きく変化する外付け周辺装置に関し、さらに具体的には、そのような外付け周辺装置において規定の供給電力を消費電力が一時的に超える場合であっても動作を可能とする回路を用いた外付け周辺装置及びインタフェースケーブルに関する。
【背景技術】
【０００２】
ＰＣ（パーソナルコンピュータ）などのホストシステムとその周辺装置との接続には、ＵＳＢ（ユニバーサル・シリアル・バス）やＩＥＥＥ１３９４のように情報の伝送経路のみならず電力の供給経路も備えたインタフェースが広く使用されるようになった。このようなインタフェースで供給される電力をバスパワーと称する。１ポートあたり供給可能な電流は、ＵＳＢで５００ｍＡ、ＩＥＥＥ１３９４で１．５Ａである。したがって、接続される周辺装置がこれらの電流範囲で動作する限り、商用電源やＡＣ（Alternating Current）アダプタを必要としないので、このようなインタフェースは、携帯用のＰＣに周辺装置を接続する場合、非常に便利である。
【０００３】
しかし、電力で駆動される機械的可動部を備えた装置では、動作状態により消費電流が一時的にインタフェースに規定のバスパワーまたは電流値を大きく超えることがある。例えば、可動記憶媒体を用いる種々の大容量記憶装置の場合、内蔵するモータが急に回転を変化させる時などには一時的に電流が増加するが、データの書き込みや読み出しを行っている最中は必要な電流が小さくなるという特徴がある。このように、周辺装置の消費電流が、動作状態により一時的であってもインタフェースに規定の電流値を大きく超える場合は、バスパワーを利用することができない。
【０００４】
この点に対処するための提案が、いろいろ為されてきた。
例えば、コンピュータとハードディスク装置との間に挿入し、電流容量が規定された電源からの出力だけを利用して負荷における駆動電力の不足を解消することが可能な電源装置（特許文献１参照）がある。しかし、この装置では、電流検出を行うために電力供給線に抵抗を挿入したため電源電圧の低下を招くおそれがあり、この電源装置を構成する回路も複雑である。
また、本出願人は、コンピュータと周辺装置との接続に用いる、自動充放電機構を内蔵した情報伝達コネクタを提案した（特許文献２参照）。このコネクタによっても、周辺装置における一時的電力不足の問題は解決されるが、やはり自動充放電機構を構成する回路が複雑である。
さらに、本出願人は、ＰＣ側の２ポートのバスパワーを利用する情報伝達コネクタおよび電力供給ラインを提案した（特許文献３参照）。この場合、供給されるバスパワーは２倍になるが、接続される周辺装置の消費電力が一時的にバスパワーを超える可能性が無くなるわけではないので、依然として、一時的に電力不足となることもあり得る。
なお、ＰＣに接続される周辺装置としては、ハードディスク装置、ＤＶＤ（Digital Versatile Disk）装置などがあるが、ハードディスク装置については小型化と省電力化が進み消費電流が小さな機種が主流になったことから、本発明は、主としてＤＶＤ装置などの光ディスク装置を対象とする。
【０００５】
【特許文献１】特開２００１?２０２１４４号公報（段落００２１〜００３６、図２）
【特許文献２】特開２００４?８６６４７号公報（段落００２１〜００２８、図１）
【特許文献３】特開２００４?５６８７７号公報（段落００１６，００５０、図１，５）
【発明の開示】
【発明が解決しようとする課題】
【０００６】
そこで、単純な構造の電流バッファ回路を備えることにより、消費電力がバスパワーを一時的に超えても、この一時的電力不足を解消することが可能な外付け周辺装置及びインタフェースケーブルを提供することを本発明の課題とする。
【課題を解決するための手段】
【０００７】
本発明の請求項１記載の外付け周辺装置は、ホストシステムとのデータ伝送に加えて前記ホストシステムからの電力の供給も可能なインタフェースと、自身の動作に要する電流がホストシステムからの供給電流を一時的に上回る可能性のある装置主要部と、前記インタフェースを介して前記ホストシステムと前記装置主要部との間の前記データ伝送を行うデータ伝送制御部と、前記装置主要部と前記データ伝送制御部による消費電流が前記供給電流を下回る場合、前記供給電流を前記装置主要部と前記データ伝送制御部に供給するとともに、電流余剰分を蓄積し、前記消費電流が前記供給電流を超える場合、前記供給電流に加えて蓄積された前記電流余剰分からの放電電流を前記装置主要部と前記データ伝送制御部に供給する電流バッファ部とを備えたことを特徴とする。
この構成によれば、消費電流が前記供給電流を下回る場合は、電流余剰分を蓄積し、前記消費電流が前記供給電流を超える場合は、前記供給電流に加えて蓄積された前記電流余剰分からの放電電流を前記装置主要部と前記データ伝送制御部に供給するので、一時的な電力不足を解消することができる。
【０００８】
請求項２記載の外付け周辺装置は、前記電流バッファ部が、前記インタフェースの電源供給端子と前記装置主要部および前記データ伝送制御部の電源導体との間に挿入された充放電制御回路と、前記充放電制御回路の出力側と接地との間に挿入された蓄電素子とを備え、前記充放電制御回路が、電流を所定の値に制限する電流制限回路と逆流防止用の入力ダイオードとの直列回路であることを特徴とする。
この構成によれば、過剰な電流を阻止できるほか、蓄電素子からの放電電流がホストシステム側に逆流するのを防ぐことができる。
【０００９】
請求項３記載の外付け周辺装置は、前記ホストシステムからさらなる電力の供給を得るための受電手段と、入力側が前記受電手段の電源供給端子に接続され、出力側が前記直列回路である前記充放電制御回路の出力側に接続され、前記直列回路と同じ構成の第２の充放電制御回路とをさらに備えたことを特徴とする。
この構成によれば、電力の供給経路が２倍になるので、供給電流も２倍となり、一時的な電力不足の解消に役立つ。
【００１０】
請求項４記載の外付け周辺装置は、前記受電手段が、第２のインタフェースであることを特徴とする。この構成によれば、２つのインタフェースケーブルによりホストシステムと接続することができる。
請求項５記載の外付け周辺装置は、前記受電手段が、電源用コネクタであることを特徴とする。この構成によれば、１つのインタフェースケーブルと、ＡＣアダプタ等の給電手段とを用いて外付け周辺装置に給電することができる。
【００１１】
請求項６記載の外付け周辺装置は、請求項２または３において、前記蓄電素子の蓄電量を電圧として監視する手段と、前記蓄電量が所定の値より小さい場合、前記装置主要部の動作を待たせるのに有効なコマンドを、前記インタフェースを介して前記ホストシステムに送る手段とをさらに備えたことを特徴とする。
この構成によれば、請求項２または３のように作用するほか、蓄電量が所定の値より小さい場合、ホストシステムに対して前記装置主要部の動作を待たせるよう指示するので、電力不足の状態で動作を継続することがなく、システムの信頼性が一層向上する。
【００１２】
請求項７記載の外付け周辺装置は、前記インタフェースがＵＳＢであることを特徴とする。
請求項８記載の外付け周辺装置は、前記装置主要部が光ディスクドライブであることを特徴とする。
請求項９記載の外付け周辺装置は、前記装置主要部がＤＶＤドライブであることを特徴とする。
【００１３】
請求項１０記載のインタフェースケーブルは、ホストシステムと周辺装置との間でデータを伝送する手段と、前記ホストシステムから前記周辺装置に電力を供給する電力供給手段と、前記電力供給手段の途中に挿入され、前記周辺装置による消費電流が前記ホストシステムからの供給電流を下回る場合、前記供給電流を前記周辺装置に供給するとともに、電流余剰分を蓄積し、前記消費電流が前記供給電流を超える場合、前記供給電流に加えて蓄積された前記電流余剰分からの放電電流を前記周辺装置に供給する手段とを備えたことを特徴とする。
このように構成されたインタフェースケーブルによれば、周辺装置において、消費電流が前記ホストシステムからの供給電流を下回る場合、電流余剰分を蓄積し、前記消費電流が前記供給電流を超える場合、前記供給電流に加えて蓄積された前記電流余剰分からの放電電流を前記周辺装置に供給するので、消費電力がバスパワーを一時的に超えても、電力不足が解消される。これにより、ＡＣアダプタや商用電源を用いることなく、バスパワーのみで周辺装置を操作させることが可能となる。
【発明の効果】
【００１４】
本発明に係る外付け周辺装置及びインタフェースケーブルによれば、電流バッファ回路を備えることにより、消費電力がバスパワーを一時的に超えても、この一時的な電力不足が解消される。また、ＰＣなどにケーブルで接続して使用する際に、ＡＣアダプタなどの他の電源を接続しない場合には、特殊な接続ケーブルを用いることなく、配線が簡単になりユーザの利便性が著しく向上する。
【発明を実施するための最良の形態】
【００１５】
以下、本発明の実施の形態を、添付図面を参照しつつ詳細に説明する。
なお、以下の説明において、複数の図面に同じ要素を示す場合には同一の参照符号を付ける。
【００１６】
（第１実施形態）
図１Ａは、本発明の第１の実施形態に係る、ホストシステムと、ＵＳＢケーブルを介して接続され、バスパワーのみで動作する外付けＤＶＤ装置の構成例を示す略ブロック図である。本発明の第１の実施形態は、このようなＤＶＤ装置に限らず、バスパワーを供給可能なインタフェースに接続可能な外付け光ディスク装置（例えば、ＣＤ−Ｒ／ＲＷドライブ、ＨＤ−ＤＶＤ（登録商標）ドライブ、Ｂｌｕ−ｒａｙ（登録商標）ドライブ等）であれば、適用可能である。また、ＤＶＤ装置などの光ディスク装置に限らず、電力で駆動される機械的可動部を備えた装置で、動作状態により消費電流が一時的にインタフェースに規定の電流値を大きく超えるような外付け周辺装置にも適応可能である。
図１Ａにおいて、本発明の第１の実施形態による外付けＤＶＤ装置１は、通常の外付けＤＶＤ装置と同様に、ＰＣなどのホストシステム（図示せず）とＵＳＢケーブルＵＳＢＣにより接続されるＵＳＢインタフェース（ＵＳＢＩＦ）１０、外部からの要求に応じてデータの書き込み・読み出しを行うＤＶＤドライブであるドライブ本体１２、ＵＳＢインタフェース１０のデータ端子（図示せず）と、ドライブ本体１２のデータ端子（図示せず）との間に挿入され、ホストシステムとドライブ本体１２とのデータ伝送を行うデータ伝送制御部１１を備える。さらに、外付けＤＶＤ装置１は、ＵＳＢインタフェース１０の図示しない電源端子に接続され、電源出力を与える電流バッファ回路１４を備える。データ伝送制御部１１およびドライブ本体１２は、電流バッファ回路１４の電源出力で動作する。
【００１７】
本実施形態の電流バッファ回路１４は、一端が接地されたコンデンサＣ、コンデンサＣの他端に接続されコンデンサＣの充放電を自動的に行う充放電回路２０、充放電回路２０の出力に接続され、充放電回路２０の出力電圧を所定の直流電圧に変換する電圧安定化回路３０からなる。コンデンサＣとしては、素子サイズに比較して充電容量が大きい電気二重槽コンデンサが好ましいが、これに限らず、他の充電可能な素子であれば何でもよい。
【００１８】
図１Ｂは、図１Ａに示した充放電回路２０の例を示す回路図である。図１Ｂにおいて、充放電回路２０は、ＵＳＢインタフェース１０の図示しない電源端子に接続され、この電源端子（即ち、図示しないホスト）からの電流を所定の電流値（この例では、１Ａ）に制限する電流制限回路２２、電流制限回路２２の出力に入力端子が接続され、出力端子が充放電回路２０の出力となるダイオード２３、ダイオード２３の出力端子とコンデンサＣの非接地端子との間に並列に挿入され、コンデンサＣへの充電電流を所定の値（この例では、５００ｍＡ）に制限する電流制限回路２８およびコンデンサＣからの放電電流を通すためのダイオード２９から構成される。
【００１９】
ホストシステムとして使用されるＰＣは、供給可能な電流が、ＵＳＢインタフェース１０の規格で定める５００ｍＡ程度の機種から１Ａ程度の機種まであるのが現状である。この点を考慮し、ホストシステムの電流供給能力を十分利用できるように、電流制限回路２２の電流制限値を１Ａとしたが、これに限らず５００ｍＡ以上で現実的に支障のない範囲で設定することができる。ダイオード２３は、ホストシステムの電源がオンの状態でホストシステムと外付けＤＶＤ装置１との接続が突然断たれた際に、コンデンサＣの放電電流が電流制限回路２２の方へ逆流するのを防ぐためのものである。
【００２０】
電流制限回路２８は、ホストシステムの電源がオンの状態でホストシステムと外付けＤＶＤ装置１とが接続された際に（即ち、ホットプラグの際に）、コンデンサＣが急速に充電されるためにホストシステムから過剰な電流が流れ出すのを防ぐためのものである。コンデンサＣ方向にしか電流を流さない電流制限回路２８を設けたために、コンデンサＣからの放電電流を流すためにダイオード２９が必要となる。最近のＰＣは、ホットプラグをサポートしている場合が多く、ＰＣの稼働中に周辺機器を接続したときでも、過剰電流が流れるのを防止する手段を備えていると考えられるので、電流制限回路２８とダイオード２９を備えることが望ましいが、省略することができる。省略する場合は、ダイオード２３の出力端子とコンデンサＣの非接地端子とを短絡する。
電圧安定化回路３０は、ＤＣ／ＤＣコンバータとも呼ばれる周知の回路であるから、詳細な説明は省略する。
【００２１】
次に、以上のように構成された外付けＤＶＤ装置１の動作を説明する。図示しないホストシステムと外付けＤＶＤ装置１は、ＵＳＢケーブルＵＳＢＣで接続され、電力供給とデータ伝送が行われる。ホストシステムの電源が投入されると、ホストシステムからの電源電流の５００ｍＡまでは抵抗の小さいコンデンサＣの充電に使用され、電源電流の５００ｍＡを超える電流はデータ伝送制御部１１やドライブ本体１２に供給される。コンデンサＣの充電が進むとともに、充電電流が減少し、その分だけデータ伝送制御部１１やドライブ本体１２に供給される電流が増加し、データ伝送制御部１１やドライブ本体１２が動作するために十分な電流が供給されるようになると、データ伝送制御部１１とドライブ本体１２は正常な動作を開始する（ここまでが、初期充電動作である）。さらにコンデンサＣへの充電が進む（稼動時充電動作）と、ついには、ホストシステムからの電流は、コンデンサＣには殆ど流れず、データ伝送制御部１１とドライブ本体１２に流れるようになる。データ伝送制御部１１とドライブ本体１２とによる消費電流が、ホストシステムからの供給電流より小さい間は、この状態が維持される。
【００２２】
しかし、モータの回転の変化などにより、データ伝送制御部１１とドライブ本体１２とによる消費電流が、ホストシステムからの供給電流を一時的に超えると、この間、コンデンサＣから不足分の電流が供給されるので、データ伝送制御部１１とドライブ本体１２とは正常に動作を継続することができる。消費電流が再び供給電流より小さくなると、前記の稼働時充電動作となり、コンデンサＣが満充電となるまで充電される。充放電回路２０の出力電圧、即ち、ダイオード２３の出力電圧は、消費電流の変動に応じて僅かに変化するので、電圧安定化回路３０により所定の電圧へと変換して、データ伝送制御部１１とドライブ本体１２とに供給される。こうして、データ伝送制御部１１とドライブ本体１２とには、十分な電力が供給されるので、常に電力供給が安定した状態でホストシステムからのデータをＤＶＤ（図示せず）に記録し、ＤＶＤの内容を再生してホストシステムに伝送することができる。
【００２３】
このように、本実施形態の外付けＤＶＤ装置１によれば、電流バッファ回路１４を備えたことにより、消費電流がバスパワーの供給電流を一時的に超えても、コンデンサＣからの放電電流により正常に動作することができるので、ＡＣアダプタや商用電源を必要とすることなく、バスパワーのみによる動作が可能となる。
【００２４】
（第２実施形態）
図２Ａは、本発明の第２の実施形態による外付けＤＶＤ装置の構成例を示す略ブロック図である。また、図２Ｂは、図２Ａに示した充放電回路２０ａの例を示す回路図である。図２Ａに示した外付けＤＶＤ装置１ａは、ＵＳＢインタフェースまたは電源用コネクタ１６が追加され、図１Ａに示した充放電回路２０が充放電回路２０ａに置き換わり、これに伴い、電流バッファ回路が１４から１４ａに、外付けＤＶＤ装置が１から１ａに置き換わった点を除けば、図１Ａの外付けＤＶＤ装置１と同じである。即ち、外付けＤＶＤ装置１ａは、ＵＳＢインタフェース１０の他に、もう１ポートＵＳＢインタフェースを備えるか、または、ホストシステムの電源出力端子や、ＡＣアダプタ等の給電手段と接続される電源用コネクタを備える。
図２Ｂに示すように、充放電回路２０ａは、電流制限回路２２とダイオード２３の直列回路の他に、これと同じ電流制限回路２４とダイオード２５の直列回路を備え、ダイオード２５の出力端子は、ダイオード２３の出力端子と接続され、ダイオード２３の電流とダイオード２５の電流との和が充放電回路２０ａの出力電流となるように構成されている。ＵＳＢインタフェースまたは電源用コネクタ１６の電源端子は、充放電回路２０ａの電流制限回路２４の入力端子に接続される。
【００２５】
このように、本実施形態による外付けＤＶＤ装置１ａは、電力の供給経路を２系統備えることにより、ホストシステムからの供給電流が２倍になった点を除けば、図１Ａに示した外付けＤＶＤ装置１と同じである。したがって、コンデンサＣへの電流を制限する電流制限回路２８ａの電流制限値は１Ａとなっている。また、充放電回路２０ａの動作は、図１Ａに示した充放電回路２０と同じなので、その動作の説明は省略する。
このように、本実施形態によれば、バスパワーが２倍になるのみならず、電流バッファ回路１４ａを備えたことにより、消費電流がバスパワーの供給電流を一時的に超えても、コンデンサからの放電電流により正常に動作することができるので、ＡＣアダプタや商用電源を必要とすることなく、バスパワーのみによる動作が可能となる。
【００２６】
（第３実施形態）
図３は、本発明の第３の実施形態による外付けＤＶＤ装置の構成例を示す略ブロック図である。図３に示した外付けＤＶＤ装置１ｂは、図１に示した第１実施形態の充放電回路２０およびデータ伝送制御部１１がそれぞれ充放電回路２０ｂおよびデータ伝送制御部１１ａに置き換わり、これに伴い、電流バッファ回路が１４から１４ｂとなり、外付けＤＶＤ装置が１から１ｂとなった点を除けば、第１実施形態の外付けＤＶＤ装置１と同じである。以下、第１実施形態の外付けＤＶＤ装置１との相違点のみを説明する。
【００２７】
外付けＤＶＤ装置１ｂは、第１実施形態と同じ動作を行うのみならず、データ伝送制御部１１ａは、コンデンサＣの蓄電量または充電量を電圧として監視し、蓄電量が所定の値より小さい場合、動作に必要な電力が不足すると判断し、ドライブ本体１２の動作を待たせるのに有効なコマンドを、ＵＳＢインタフェース１０を介してホストシステムに送る。これにより、蓄電量が不足している場合、充電が進むまでドライブ本体１２の動作を待たせることが可能となる。
【００２８】
このように、本発明の第３実施形態による外付けＤＶＤ装置１ｂによれば、電流バッファ回路１４ｂを備えたことにより、消費電流がバスパワーの供給電流を一時的に超えた場合、コンデンサからの放電電流により動作の継続を試みる。さらに、蓄電量が所定の値より小さい場合、動作に必要な電力が不足すると判断し、ホストシステムに対してドライブ本体１２の動作を待たせるよう指示するので、電力不足の状態で動作を継続することがなく、システムの信頼性が一層向上する。
【００２９】
以上は、本発明の説明のために実施の形態の例を掲げたに過ぎない。したがって、本発明の技術思想または原理に沿って前記の実施の形態に種々の変更、修正または追加を行うことは、当業者には容易である。
例えば、第１実施形態においては、電流制限回路２２をダイオード２３の前段に配置したが、電流制限回路２２をダイオード２３の後段に配置することも可能である。
第３実施形態を特徴付ける技術思想である「蓄電量が所定の値より小さい場合、ホストシステムに対してドライブ本体１２の動作を待たせるよう指示する」技術は、第１実施形態と組み合わせて説明したが、第２実施形態と組み合わせることもできる。
以上の実施の形態においては、本発明を外付けＤＶＤ装置に応用した例を示したが、本発明による電流バッファ回路１４、１４ａおよび１４ｂは、本出願人による特許文献２の図５に示す情報伝達コネクタ（接続ケーブル）の電力供給機構として使用することも可能である。具体的には、接続ケーブルの電力供給線に電流バッファ回路１４、１４ａまたは１４ｂを挿入すればよい。消費電力がバスパワーを一時的に超えるような周辺装置を本発明の接続ケーブルによりホストシステムに接続すれば、ＡＣアダプタや商用電源を用いることなく、バスパワーのみで周辺装置を操作させることが可能となる。
したがって、本発明は、以上述べた実施形態に捕らわれることなく、特許請求の範囲に記載された技術的思想により定められる。
【図面の簡単な説明】
【００３０】
【図１Ａ】本発明の第１実施形態による外付けＤＶＤ装置の構成例を示す略ブロック図である。
【図１Ｂ】図１Ａに示した充放電回路の例を示す回路図である。
【図２Ａ】本発明の第２実施形態による外付けＤＶＤ装置の構成例を示す略ブロック図である。
【図２Ｂ】図２Ａに示した充放電回路の例を示す回路図である。
【図３】本発明の第３実施形態による外付けＤＶＤ装置の構成例を示す略ブロック図である。
【符号の説明】
【００３１】
１、１ａ、１ｂ  外付けＤＶＤ装置
１０    ＵＳＢインタフェース
１１、１１ａ  データ伝送制御部
１２    ドライブ本体
１４、１４ａ、１４ｂ  電流バッファ回路
１６    ＵＳＢインタフェースまたは電源用コネクタ
２０、２０ａ、２０ｂ  充放電回路
２２、２４、２８  電流制限回路
２３、２５、２９  ダイオード
３０    電圧安定化回路
【図１Ａ】
2007156605.tif 000003
【図１Ｂ】
2007156605.tif 000004
【図２Ａ】
2007156605.tif 000005
【図２Ｂ】
2007156605.tif 000006
【図３】
2007156605.tif 000007